(57)【要約】【課題】  ハゼを有する金属折板製の屋根の上方に、ハゼに留め付ける方法で遮光シートを留め付けるようにし、この留め付け作業が簡単に行え、取付強度を優れたものにする。【解決手段】遮光シート１０のハゼ５３の上に置き、その上から長尺のパッキン部材３０を被せ、更にその上からパッキン部材３０と略同じ長さの固定用金具４０を被せて、遮光シート１０をパッキン部材３０とハゼ５３の間に挟んだ状態で、屋根５０の上方に取り付ける。【選択図】図４
2017040150.tif 000002
【特許請求の範囲】
【請求項１】
巻き締めによるハゼを所定間隔毎に有する金属折板製の屋根の上方に、遮光シートを前記ハゼに沿って留め付ける遮光シートの留め付け方法であって、
該遮光シートの幅方向を前記ハゼの向きに一致させて該遮光シートを前記ハゼの上に沿わせ置く、第１の作業工程と、
該遮光シートの幅に略合わせた長さを有し且つ断面形状が概略鞍形状を有するパッキン部材を前記ハゼに上から被せて、該パッキン部材により前記遮光シートを該ハゼから該ハゼ下方の首部に向けて挟む、第２の作業工程と、
前記パッキン部材と略同じ長さを有し且つ断面形状が概略鞍形状を有する固定用金具を前記パッキン部材に上から被せて、該固定部材が有する内向きに対向して突出する係合部を前記パッキン部材の側面に有する被係合部に係合させる、第３の作業工程とを有し、
前記第１〜第３の作業工程を、片側隣りのハゼの順に行い、また、前記ハゼに沿う行間隔毎に行って、前記遮光シートを前記屋根から浮かした状態で前記各ハゼ間に設けて、前記屋根の大部分を前記遮光シートで覆うようにすることを特徴とする遮光シートの取り付け方法。
【請求項２】
巻き締めによるハゼを所定間隔毎に有する金属折板製の屋根の上方に、遮光シートを前記ハゼに沿って留め付ける遮光シートの留付け部材であり、
パッキン部材と固定用金具とを有し、
該パッキン部材は、前記遮光シートの縦方向の幅に略合わせた長さがあり且つ前記ハゼに上から被着させ得る大きさの概略鞍形状を有し、該パッキン部材の下部には、前記首部に向けた内向き突出部が設けられ、
前記固定用金具は、前記パッキン部材と略同じ長さを有し且つ断面形状が前記パッキン部材に上から被せ得る概略鞍形状を有し、
該固定用金具の両側に、前記パッキン部材の側面に有する被係合部に係合させて、該固定用金具が前記パッキン部材から抜け外れないようにすると共に、前記パッキン部材が前記リブから抜け外れないようにする係合部が夫々対向して設けられていることを特徴とする遮光シートの留付け部材。
【請求項３】
前記パッキン部材が有する前記内向き突出部は、前記ハゼの下部面に略沿う方向に向けた上部側の内向き突出部と、前記ハゼの下方の起立面に向けて突出する下部側の内向き突出部で構成されている、請求項２に記載の遮光シートの留め付け部材。
【請求項４】
前記パッキン部材は、８０℃〜１８０℃の耐熱性を有する、ポリ塩化ビニル（ＰＶＣ）、塩素化塩化ビニル（ＣＰＶＣ）、ポリフッ化ビニル（ＰＶＦ）、エチレンプロピレンジエン三元共重合体（ＥＰＤＭ）、ガラス繊維強化熱可塑性樹脂（ＦＲＴＰ）、ガラス繊維強化プラスチック（ＧＲＰ）、ガラス繊維強化熱可塑性樹脂（ＧＲＴＰ）、熱可塑性エラストマー（ＴＰＥ）の何れかを主要素材とする、外圧による変形に対して元の形状に復帰する弾発力を有する合成樹脂成形品である、請求項２又は３に記載の遮光シートの留め付け部材。
【発明の詳細な説明】
【技術分野】
【０００１】  本発明は、巻き締めによるハゼを所定間隔毎に有する金属折板製の屋根の上方に遮光シートをハゼに留め付ける方法で設ける遮光シートの留め付け方法と、パッキン部材と固定用金具とからなる遮光シートの留め付け部材に関する。
【背景技術】
【０００２】  金属折板製の屋根は、屋根施工が短期間且つ低コストで済み、丈夫で耐久性に富む。このため、工場、倉庫、仮設建物、駐車場、通路、駅のホーム等の屋根として広く普及している。【０００３】  しかしながら、熱伝導性が高い金属折板製の屋根は、夏季に強い陽射しを受けると異常高温になり、屋根の下は厳しい暑さになる。冬季に寒風を受けたときにも、屋根の下は凍える寒さになる。【０００４】  このような背景下、従来において、金属折板製の屋根の上方に、遮光シートを取り付けて、屋根に強い陽射しが当たらないようにする技術が提案済である（特許文献１、特許文献２等）。
【先行技術文献】
【０００５】
【特許文献１】特開２０１０−１１２００７号公報
【特許文献２】特開２００８−１１１２６０号公報
【０００６】  しかしながら、特許文献１の図１に示す日除け装置の取付構造は、屋根の上板面の中央線上に固定ボルト１３を取り付ける構造であるため、ハゼがある金属折板製の屋根に対応出来ない。
【０００７】  特許文献２に記載の遮熱屋根構造は、ハゼがある金属折板製の屋根に対応出来るが、特許文献１の図１に示すように、ボルトとナットを利用して取付け用金属金具２０をハゼに挟み付ける方法は、熱反射シートの取付け作業に時間が掛り、この挟み付けもハゼに沿って長く挟み付ける構造でないため、取付強度も劣る。
【０００８】
【発明の概要】
【発明が解決しようとする課題】
【０００９】  本発明が解決しようとする課題は、金属折板製の屋根の上方に遮光シートを設けて、屋根に直接陽射しが当たって高温にならないようにすると共に、冬季に寒風が屋根に当たらないようにすることにあり、とくに、取付作業が簡単で、取付強度に優れたものにする点にある。
【課題を解決するための手段】
【００１０】  請求項１に係る遮光シートの留め付け方法は、次の構成を有する。
（１）巻き締めによるハゼを所定間隔毎に有する金属折板製の屋根の上方に、遮光シートを前記ハゼに沿って留め付ける遮光シートの留め付け方法である。
（２）該遮光シートの幅方向を前記ハゼの向きに一致させて該遮光シートを前記ハゼの上に沿わせ置く、第１の作業工程を有する。
（３）該遮光シートの幅に略合わせた長さを有し且つ断面形状が概略鞍形状を有するパッキン部材を前記ハゼに上から被せて、該パッキン部材により前記遮光シートを該ハゼから該ハゼ下方の首部に向けて挟む、第２の作業工程を有する。
（４）前記パッキン部材と略同じ長さを有し且つ断面形状が概略鞍形状を有する固定用金具を前記パッキン部材に上から被せて、該固定部材が有する内向きに対向して突出する係合部を、前記パッキン部材の側面に有する被係合部に係合させて、前記パッキン部材が前記リブから抜け外れないようにする、第３の作業工程を有する。
（５）前記第１〜第３の作業工程を、片側隣りのハゼの順に行い、また、前記ハゼに沿う行間隔毎に行って、前記遮光シートを前記屋根から浮かした状態で前記各ハゼ間に設けて、前記屋根の大部分を前記遮光シートで覆うようにする。【００１１】  請求項２に係る遮光シートの留め付け部材は、次の構成を備える。
（１）巻き締めによるハゼを所定間隔毎に有する金属折板製の屋根の上方に、遮光シートを前記ハゼに沿って留め付ける遮光シートの留付け部材である。
（２）パッキン部材と固定用金具とを有する。
（３）該パッキン部材は、前記遮光シートの縦方向の幅に略合わせた長さがあり且つ前記ハゼに上から被着させ得る大きさの概略鞍形状を有し、下部に前記首部に向けた内向き突出部が設けられている。
（４）前記固定用金具は、前記パッキン部材と略同じ長さを有し且つ断面形状が前記パッキン部材に上から被せ得る概略鞍形状を有する。
（５）前記固定用金具の両側に、前記パッキン部材の側面に有する被係合部に係合させて、該固定用金具が前記パッキン部材から抜け外れないようにすると共に、前記パッキン部材が前記リブから抜け外れないようにする係合部が夫々対向して設けられている。【００１２】  請求項３に係る遮光シートの留め付け部材は、次の構成を備える。
（１）請求項２に係る留め付け部材と同じ構成を備える。
（２）前記パッキン部材が有する前記内向き突出部は、前記ハゼの下部面に略沿う方向に向けた上部側の内向き突出部と、前記ハゼの下方の起立面に向けて突出する下部側の内向き突出部で構成されている。【００１３】  請求項４に係る遮光シートの留め付け部材は、次の構成を備える。
（１）請求項２又は３に係る留め付け部材と同じ構成を備える。
（２）前記パッキン部材は、８０℃〜１８０℃の耐熱性を有する、ポリ塩化ビニル（ＰＶＣ）、塩素化塩化ビニル（ＣＰＶＣ）、ポリフッ化ビニル（ＰＶＦ）、エチレンプロピレンジエン三元共重合体（ＥＰＤＭ）、ガラス繊維強化熱可塑性樹脂（ＦＲＴＰ）、ガラス繊維強化プラスチック（ＧＲＰ）、ガラス繊維強化熱可塑性樹脂（ＧＲＴＰ）、熱可塑性エラストマー（ＴＰＥ）の何れかを主要素材とする、外圧による変形に対して元の形状に復帰する弾発力を有する合成樹脂成形品である
【発明の効果】
【００１４】  請求項１に係る遮光シートの留め付け方法、請求項２，３，４に係る遮光シートの留め付け部材による効果は次の通りである。
（１）遮光シートをハゼの上に沿わせ置き、その上からパッキン部材をハゼに上から被せ、パッキン部材の上から固定用金具を被せるという工具無しの簡単な作業で、遮光シートを隣り合うハゼに留め付けて、遮光シートを屋根の上方に取り付けることが出来る。
（２）パッキン部材を固定金具で被せると、固定部材が有する内向きの係合部がパッキン部材の側面に有する被係合部に係合するため、固定部材はパッキン部から不用意に抜け外れない。
（３）パッキン部材が有する内向きの突出部がハゼの下方において内側に位置しており、この内向きの突出部がパッキン部材の両側壁と共に外方向に広がらないように固定部材で外側から押さえられているため、パッキン部材は不用意にリブから抜け外れない。
（４）以上の結果、パッキン部材とハゼの間に挟着されて隣り合うハゼどうしの間に配設された遮光シートは、強風を受けても飛ばされることがない強固な取り付け状態になり、屋根に夏季の強い陽射しが当たっても異常な高温になるのが抑えられ、冬季において屋根に寒風が当たらないようにする。
【発明を実施するための形態】
【００１５】  本発明の実施の形態を以下の実施例に沿って詳述する。
【図面の簡単な説明】
【００１６】
【図１】（ａ）は角ハゼを有する金属折板製の屋根の一部を示した正面図、（ｂ）は角ハゼとその近傍部分を示した正面拡大断面図。
【図２】角ハゼを有する金属折板製の屋根の上方に遮光シートを取り付ける途中の状態を示した正面図。
【図３】（ａ）は固定用金具の１実施形態を示した斜視図、（ｂ）はパッキン部材の１実施形態を示した斜視図、（ｃ）は図３（ａ）に示す固定用金具の拡大端面図、（ｄ）は図３（ｂ）に示すパッキン部材の拡大端面図。
【図４】（ａ）〜（ｃ）は角ハゼを有する金属折板製の屋根の上方に遮光シートを留め付ける方法の好適なる１形態を、順に追って示した拡大断面図。
【図５】角ハゼを有する金属折板製の屋根の上方に遮光シートを取り付け終えた状態を示した正面図。
【図６】（ａ）は丸ハゼを有する金属折板製の屋根の一部を示した正面図、（ｂ）は丸ハゼとその近傍部分を示した正面拡大断面図。
【図７】（ａ）は留め付け金具の他の実施形態を示した斜視図、（ｂ）はパッキン部材の他の実施形態を示した斜視図、（ｃ）はた斜視図、（ｂ）はパッキン部材の１実施形態を示した斜視図、（ｃ）は図７（ａ）に示す固定用金具の拡大端面図、（ｄ）は図７（ｂ）に示すパッキン部材の拡大端面図。
【図８】（ａ）〜（ｃ）は丸ハゼを有する金属折板製の屋根の上方に遮光シートを留め付ける方法を、順に追って示した拡大断面図。
【実施例】
【００１７】＜第１実施形態＞
図１（ａ）に角ハゼ５３，５３・・・を有する金属折板製の屋根５０の一部が示されている。この屋根５０は、金属折板５１，５１が横方向に交互に接続されて、縦方向の凹凸条の面（低段面５１ａと、高段面５１ｃ）が繰り返し形成された屋根であり、低段面５１ａと高段面５１ｃとの間は傾斜面５１ｂになっている。【００１８】  図１（ｂ）に示すように、金属折板５１，５１の上記接続は、側縁部が当接した状態で直上方に折曲し、この折曲による起立面５１ａ，５２ａの上端部が巻き締められて行われている。巻き締められた部分５３はハゼと称され、横方向に膨出している。ハゼ５３には、角ハゼと丸ハゼとがあり、図１（ａ）（ｂ）は、片側が膨出し、膨出部５６の下部面５７が傾斜面になった角ハゼが示されている。起立面５１ａ，５１ａの辺りは、首部５２と称する。【００１９】  図２に示すように、遮光シート１０は、その幅Ｗ方向の向きを角ハゼ５３の長さ方向の向きに合せて角ハゼ５３の上に沿わせ置かれ（第１の作業工程）、その上からパッキン部材３０が被せられ（第２の作業工程）、更にその上から固定用金具４０を被せられる（第３の作業工程）という方法で、角ハゼ５３に留め付けられる。【００２０】  遮光シート１０は、遮光機能を保有する公知のシート、例えば、特開２００９−２２１８３７号公報に開示の屋根用シート、特開２０１１−２１９９１８号公報に開示の建材用シート材料、特開２００１−」１９１４５３号公報に開示の遮熱シート等が使用される。【００２１】  第１実施形態に係るパッキン部材３０と固定用金具４０は、角ハゼ５３に対応した形状を有する。
図２、図３（ｂ）（ｄ）に示す第１実施形態のパッキン部材３０は、以下の形状及び大きさを有する。
（１）遮光シート１０の縦方向の幅Ｗに略合わせた長さがある上板部３０ａと、上板部３０ａの両側に沿う側板部３０ｂ，３０ｂとにより、角ハゼ５３に上から被着させ得る大きさに形成された概略鞍形状を有する。
（２）上板部３０ａの横幅方向の中央に沿う個所３０ｈが下方に突出している。
（３）図３（ｄ）に示す左側の側板部３０ｂに寄った内側空間は、図１（ｂ）に示す角ハゼ５３の膨出部５４を位置させる部分になる。
（４）左側の側板部３０ｂの下部には、図１（ｂ）に示す角ハゼ５３の首部５２に向けた第１の内向き突出部３０ｄが設けられている。
（５）第１の内向き突出部３０ｄと右側の側板部３０ｂの対向面には、遮光シートに対する食い付きを良くする凹凸条が形成されている。
（６）左側の側板部３０ｂにおける高さ方向の途中個所には、略三角形状を有する第２の内向き突出部３０ｃが設けられている。
（７）左右の側板部３０ｂ、３０ｂの外側面に、図３（ａ）（ｃ）に示す固定用金具４０の係合部４０ｃ、４０ｃの先端部が係合する段形状の被係合部３０ｅ、３０ｅが形成されている。【００２２】  パッキン部材３０は、少なくとも８０℃以上の温度に対する耐熱性がある、ポリ塩化ビニル（ＰＶＣ）、塩素化塩化ビニル（ＣＰＶＣ）、ポリフッ化ビニル（ＰＶＦ）、エチレンプロピレンジエン三元共重合体（ＥＰＤＭ）、ガラス繊維強化熱可塑性樹脂（ＦＲＴＰ）、ガラス繊維強化プラスチック（ＧＲＰ）、ガラス繊維強化熱可塑性樹脂（ＧＲＴＰ）、熱可塑性エラストマー（ＴＰＥ）の何れかを主要素材とする、外圧による変形に対して元の形状に復帰する弾発力を有する合成樹脂成形品で形成されている。【００２３】  図３（ａ）（ｃ）に示す第１実施形態の固定用金具４０は、以下の形状及び大きさを有する。
（１）パッキン部材３０と略同じ長さを有する。
（２）上板部４０ａと、上板部４０ａの両側に沿う側板部４０ｂ，４０ｂとにより、パッキン部材３０に上から被せ得る大きさの概略鞍形状を有する。
（３）両側板部４０ｂ、４０ｂの下端部が内側斜め上方向に折曲された係合部４０ｃ，４０ｃが設けられている。【００２４】  図４（ａ）〜（ｃ）に、角ハゼ５３に遮光シート１０を留め付ける作業手順が示されている。
第１の作業工程において、図４（ａ）に示すように、遮光シート１０が角ハゼ５３の上に沿わせ置かれる。【００２５】  第２の作業工程において、図４（ｂ）に示すように、角ハゼ５３にパッキン部材３０が被せられ、遮光シート１０が角ハゼ５３から角ハゼ５３下方個所に至る部分とパッキン部材３０との間に挟み付けられる。【００２６】  第３の作業工程において、図４（ｃ）に示すように、パッキン部材３０に固定用金具４０が上から被せられ、固定用金具４０側の係合部４０ｃ，４０ｃとパッキン部材３０側の被係合部３０ｅ，３０ｅとが係合される。この係合は、固定用金具４０はパッキン部材３０から不用意に抜け外れるのを防ぎ、パッキン部材３０の側板部３０ｂ，３０ｂが外側に広がらないようにして、パッキン部材３０がハゼ５３から抜け外れないようにし、遮光シート１０をパッキン部材３０とハゼ５３及びその下方部分との間に強く挟み付ける。【００２７】  パッキン部材３０をハゼ５３に取り付けると、パッキン部材３０が有する略三角形状の第２の内向き突出部３０ｃは、角ハゼ５３の傾斜した下部面５７に極接近した位置にあり、第１の内向き突出部３０ｄの先端部は、更にその下方の首部５２に極接近した位置にある。このため、遮光シート１０は、角ハゼ５３からその下方の首部５２及び起立面５１ｂに至る部分と、パッキン部材３０の間に強く挟み付けられた状態が維持され、角ハゼ５３間に取り付けられた遮光シート１０は、強風を受けたり、通常の積雪があっても、角ハゼ５３から外れない。【００２８】  図示していないが、屋根の両端に位置する角ハゼに遮光シート１０を留め付ける場合には、遮光シート１０の端末を２枚重ねに折り返して、パッキン部材３０と角ハゼ５３の間に挟み付けると、遮光シート１０の抜け外れが極めて生じ難い挟み付けになる。【００２９】  以上の各作業工程による遮光シート１０の留め付けを、片側隣りの角ハゼ５３，５３・・・の順に行い、これを行間隔毎に行うと、図５に示すように、遮光シート１０を屋根５０から浮かした状態で、屋根５０の大部分を遮光シート１０で覆うことが出来る【００３０】＜第２実施形態＞
図６（ａ）に丸ハゼ５３，５３・・・を有する金属折板製の屋根５０の一部が示されている。丸ハゼ５３は、図６（ｂ）に示すように、上方に向けて折曲された金属折板５１，５１の端部が、丸く巻き締められて形成されている。【００３１】  丸ハゼ５３に対応した図７（ｂ）（ｃ）に示す第２実施形態に係るパッキン部材３０は、以下の形状及び大きさを有する。
（１）図２及び図３（ｂ）に示す第１実施形態のパッキン部材３０と同様、遮光シート１０の縦方向の幅Ｗに略合わせた長さがある上板部３０ａと、上板部３０ａの両側に沿う側板部３０ｂ，３０ｂとを有する。
（２）丸ハゼ５３に上から被着させ得る大きさに形成された概略鞍形状を有する。
（３）側板部３０ｂ，３０ｂの外側面に、図７（ａ）（ｃ）に示す固定用金具４０の係合部４０ｃ、４０ｃの先端部が係合する段形状の被係合部３０ｅ、３０ｅが形成されている。
（４）側板部３０ｂ，３０ｂの下部に、対向方向に向けた第１の内向き突出部３０ｄ、３０ｄが設けられている。
（５）第１の内向き突出部３０ｄ、３０ｄの対向面には、遮光シートに対する食い付きを良くする凹凸条が形成されている。
（６）上部の内側面３０ｅは、丸ハゼ５３の外周面に沿う曲面形状であり、内周面３０ｅの対向する両端部は、対向方向に向けた第２の内向き突出部３０ｃ，３０ｃになっている。【００３２】  丸ハゼ５３に対応した図７（ａ）（ｃ）に示す第２実施形態に係る固定用パッキン部材３０は、以下の形状及び大きさを有する。
（１）パッキン部材３０と略同じ長さを有する。
（２）上板部４０ａと、上板部４０ａの両側に沿う側板部４０ｂ，４０ｂとにより、パッキン部材３０に上から被せ得る大きさの概略鞍形状を有する。
（３）両側板部４０ｂ、４０ｂの下端部から内側斜め上方向に折曲されて、係合部４０ｃ，４０ｃが形成されている。【００３３】  図８（ａ）〜（ｃ）に、丸ハゼ５３に遮光シート１０を留め付ける作業手順が示されている。この一連の作業工程は、図４（ａ）〜（ｃ）に示す角ハゼ５３に遮光シート１０を留め付ける作業手順と略同様であるため、重複した説明は省略する。【００３４】  図８（ｂ）（ｃ）に示す作業手順では、丸ハゼ５３に被せたパッキン部材３０の両側に設けられている第１の内向き突出部３０ｄ、３０ｄは、遮光シート１０を夫々内側に押し向けて、首部５２，５２の辺りの面に挟み付ける。【００３５】丸ハゼ５３に沿う内周面３０ｅの両端部は、近接して対向する第２の内向き突出部３０ｃ、３０ｃにまで及び、遮光シート１０を挟んだ状態で、丸ハゼ５３の広い面に亘って挟み付ける。
【産業上の利用分野】
【００３６】    本発明に係る遮光シートの留め付け方法と、留め付け部材は、夏季に高温になり易い金属折板製の屋根を有する、工場、倉庫、仮設建物、駐車場、通路、駅のホーム等の屋根、とくにハゼを有する金属折板製の屋根に遮光シートを取り付けるために供せられる。
【符号の説明】
【００３７】  １０    遮光シート
３０    パッキン部材
３０ｃ  第２の内向き突出部
３０ｄ  第１の内向き突出部
３０ｅ  被係合部
４０    固定用金具
４０ｃ  係合部
５０    （ハゼを有する金属折板製の）屋根
５１    金属折板
５１ａ  起立面
５２    首部
５３    ハゼ
【図１】
2017040150.tif 000003
【図２】
2017040150.tif 000004
【図３】
2017040150.tif 000005
【図４】
2017040150.tif 000006
【図５】
2017040150.tif 000007
【図６】
2017040150.tif 000008
【図７】
2017040150.tif 000009
【図８】
2017040150.tif 000010